(57)【要約】【課題】  筆記具を机面等に置いたときに、机面等が墨やインク等で汚れるのを防止し、また、台を使用することなしに筆記具の転回を防止する筆記具を提供する。【解決手段】  使用者が把持するための軸部２ｂと、軸垂直方向の断面形状が円形状である第１突出部を有する軸先端部３ｂと、軸垂直方向の断面形状が正方形の第２突出部を有する軸後端部１ｂと、筆部４ｂとを備える。軸後端部１ｂの第２突出部の軸垂直方向の断面の１辺を含み、軸先端部３ｂの第１突出部と接する平面である机面７より、筆部４ｂと軸部２ｂとがともに上側（すなわち、筆記具１０ｂの軸部側）にあるので、机面７に置いたときに筆部４ｂと軸部２ｂが机面７に接触することがない。【選択図】  図２
2006263943.tif 000002
【特許請求の範囲】
【請求項１】
先端部に軸垂直方向への第１突出部を有する軸部を備えることを特徴とする筆記具。
【請求項２】
前記第１突出部は前記軸部を周回していることを特徴とする請求項１記載の筆記具。
【請求項３】
前記軸部は、さらに、軸垂直方向への第２突出部を有することを特徴とする請求項１又は２記載の筆記具。
【請求項４】
前記第１突出部及び前記第２突出部の少なくともいずれかの軸垂直方向の断面形状は、少なくとも１つの辺が直線状及び凹形状のいずれかであることを特徴とする請求項３記載の筆記具。
【請求項５】
前記軸部の把持部が、前記第１突出部に前記辺がある場合は、前記辺の両端の２点を含み前記第２突出部と接する平面より前記軸部側に位置し、前記第２突出部に前記辺がある場合は、前記辺の両端の２点を含み前記第１突出部と接する平面より前記軸部側に位置することを特徴とする請求項４記載の筆記具。
【請求項６】
前記第１突出部に前記辺がある場合は、前記辺の両端の２点を含み前記第２突出部と接する平面より前記軸部側に位置し、前記第２突出部に前記辺がある場合は、前記辺の両端の２点を含み前記第１突出部と接する平面より前記軸部側に位置する筆部を備えることを特徴とする請求項４又は５記載の筆記具。
【発明の詳細な説明】
【技術分野】
【０００１】
本発明は、筆記具の形状に関する。
【背景技術】
【０００２】
従来の筆記具には、その軸部に様々な形状を有するものがある。一般的には、軸部の断面形状は円や多角形である。
【発明の開示】
【発明が解決しようとする課題】
【０００３】
しかし、従来の筆記具の多く（特に毛筆）は、筆記具を机面・書面等の上に置いたときに筆記具の筆部が机面等に接触しやすいので、机面・書面等が筆部に付着している墨やインク等で汚れるという問題がある。従って、机面等の汚れを防止する目的で筆記具の先端を浮かすための台などが必要になる。また、把持する軸部が机面等に接触するので把持部に付着している様々な汚れによって机面等が汚れる。
【０００４】
また、従来の筆記具の構造では、軸部の断面形状が円形状等であり、筆記具を机面等の上に置いたときに安定しないので、筆記具の転回を生じやすいという問題がある。従って、筆記具の転回を防止するために、筆記具の軸部に軸垂直方向への突出物を設けたりしているが、それによって使用者が把持したときに手に突出物が触れて違和感を抱いたりする。また、筆記具の軸部に突出物を設けただけでは、筆記具を机面等の上に置いたときに完全に安定はしない。また、筆記具の軸部に突出物を設けない場合には、筆記具を固定するための台などが必要になる。一方、軸部の軸垂直方向の断面形状を円形状ではなく多角形状にして転回を防止するものもあるが、使用感が損なわれる場合が多い。
【０００５】
そこで、本発明は、筆記具を机面等に置いたときに、机面等が墨やインク等で汚れるのを防止し、また、台を使用することなしに筆記具の転回を防止する筆記具を提供することを目的とする。
【課題を解決するための手段】
【０００６】
本発明に係る筆記具は、先端部に軸垂直方向への第１突出部を有する軸部を備えることを特徴とする。さらに、前記第１突出部は前記軸部を周回していることを特徴とする。
【０００７】
さらに、前記軸部は、軸垂直方向への第２突出部を有することを特徴とする。
【０００８】
さらに、前記第１突出部及び前記第２突出部の少なくともいずれかの軸垂直方向の断面形状は、少なくとも１つの辺が直線状及び凹形状のいずれかであることを特徴とする。
【０００９】
さらに、前記軸部の把持部が、前記第１突出部に前記辺がある場合は、前記辺の両端の２点を含み前記第２突出部と接する平面より前記軸部側に位置し、前記第２突出部に前記辺がある場合は、前記辺の両端の２点を含み前記第１突出部と接する平面より前記軸部側に位置することを特徴とする。
【００１０】
さらに、前記第１突出部に前記辺がある場合は、前記辺の両端の２点を含み前記第２突出部と接する平面より前記軸部側に位置し、前記第２突出部に前記辺がある場合は、前記辺の両端の２点を含み前記第１突出部と接する平面より前記軸部側に位置する筆部を備えることを特徴とする。
【発明の効果】
【００１１】
本発明に係る筆記具によれば、先端部に軸垂直方向への第１突出部を有する軸部を備えるため、筆記具を第１突出部を下に置いたときに筆部が机面等に接触することがないので、台を使用することなしに筆部に付着している墨やインク等で机面等が汚れるのを防止できる。また、筆部に付着している墨やインク等が、使用者が把持するところの軸部のほうに染みるのを防止するので、使用者の手の汚れを防止できる。
【００１２】
さらに、軸部は、軸垂直方向への第２突出部を有し、第１突出部又は第２突出部は、軸垂直方向の断面形状において少なくとも１つの辺が直線状及び凹形状のいずれかであるため、その辺を下にして筆記具を机面等に置いたときに安定するので、台を使用することなしに筆記具の転回を防止できる。
【００１３】
さらに、軸部の把持部が、第１突出部又は第２突出部の前記辺の両端の２点を含み他方の突出部と接する平面より軸部側にあるので、把持部が机面等に接触することがなくなり、台を使用することなしに把持部に付着している様々な汚れによって机面等が汚れるのを防止できる。
【００１４】
さらに、第１突出部又は第２突出部の前記辺の両端の２点を含み他方の突出部と接する平面より軸部側に位置する筆部を備えるので、筆部に付着している墨やインク等で机面等が汚れるのを防止できる。
【発明を実施するための最良の形態】
【００１５】
以下では、本発明を実施するための最良の形態について図面を参照しながら説明を行う。
【００１６】
図１は、本発明に係る筆記具の斜視図である。また、図２は本発明に係る筆記具の側面図である。本発明に係る筆記具（毛筆）１０ａ、１０ｂは、それぞれ、使用者が把持するための軸部２ａ、２ｂと、軸部２ａ、２ｂをリング状に周回して軸垂直方向への凸状体を形成しており、その軸垂直方向の断面形状が円形状である第１突出部を有する軸先端部３ａ、３ｂと、軸垂直方向の断面形状が正方形の直方体状の第２突出部であって、その正方形の４つの辺が直線状である軸後端部１ａ、１ｂと、墨を含んで書面に筆記するための筆部４ａ、４ｂとを備えている。
【００１７】
これにより、図２に示したように、第２突出部の上記断面形状における１辺を下にして筆記具１０ａ、１０ｂを机面７等に置いたときに、その１辺と軸先端部３ａ、３ｂの第２突出部の１点が机面７に接地されて安定するので、台を使用することなしに従来の問題点である筆記具１０ａ、１０ｂの転回を防止できる。さらに、軸先端部３ａ、３ｂの第１突出部があるため、筆部４ａ、４ｂに付着している墨やインク等が、使用者が把持するところの軸部２ａ、２ｂのほうに染みるのを防止するので、使用者の手の汚れを防止できる。また、軸後端部１ａ、１ｂに第２突出部が位置しているため、使用者が筆記具（毛筆）１０ａ、１０ｂを把持するときに第２突出部が手に触れないので、使用者は使用感を妨げることがなく快適に使用できる。
【００１８】
さらに、本筆記具（毛筆）１０ａ、１０ｂにおいては、軸後端部１ａ、１ｂの第２突出部における断面形状の正方形のある１辺の両端の２点を含み（すなわち、正方形の１辺を含み）、軸先端部３ａ、３ｂの第１突出部と接する平面（すなわち、図２における机面７）より、筆部４ａ、４ｂと軸部２ａ、２ｂとがともに上側（すなわち、筆記具１０ａ、１０ｂの軸部中心側）にある。これにより、筆記具１０ａ、１０ｂを机面７等に置いたときに筆部４ａ、４ｂが机面７等に接触することがないので、台を使用することなしに筆部４ａ、４ｂに付着している墨やインク等で机面７等が汚れるのを防止できる。また、使用者が把持するところの軸部２ａ、２ｂが机面７等に接触することもないので、台を使用することなしに軸部２ａ、２ｂに付着している様々な汚れによって机面７等が汚れるのを防止できる。
【００１９】
図３は、本発明に係る筆記具の第１及び第２突出部の軸垂直方向の断面形状の例を示す図である。図１及び図２に示した筆記具では、軸先端部３ａ、３ｂの第１突出部の軸垂直方向の断面形状が円形状であったが、図３に示す正方形、正六角形、樽形状、一辺のみが直線形状、星形状等のように、軸垂直方向の断面形状において少なくとも１つの辺が直線状及び凹形状のいずれかである形状であれば、筆記具を机面７等に置いたときにその辺の直線又はその辺の両端の２点により安定するので、上述したような効果と同様の効果を奏する。また、図１及び図２に示した筆記具では、軸後端部１ａ、１ｂの第２突出部の軸垂直方向の断面形状が正方形であったが、円形状であっても図３に示すいずれかの形状であってももちろんよい。
【００２０】
なお、転回防止用の第２突出部の位置は、本実施の形態で説明を行ったような軸後端部１ａ、１ｂに位置する構造に限られず、軸部２ａ、２ｂ上のいずれかの位置であればよい。また、軸先端部３ａ、３ｂの第１突出部は、必ずしも軸垂直方向を周回している必要はなく、一箇所のみ又は数箇所のみが軸垂直方向に突出している構造であってももちろんよい。また、必ずしも軸先端部に位置する必要はなく、軸部２ａ、２ｂ上の中央部と先端部の間に位置していてもよい。
【００２１】
また、本実施の形態で説明を行った図１及び図２に示した筆記具の構造とは異なり、例えば、軸先端部３ａ、３ｂの第１突出部における軸垂直方向の断面形状が正方形であり、軸先端部３ａ、３ｂの第１突出部の軸垂直方向の断面形状が円形状である場合には、その正方形のある１辺の両端の２点を含み（すなわち、正方形の１辺を含み）、軸後端部１ａ、１ｂの第２突出部と接する平面（すなわち、机面７）より、筆部４ａ、４ｂと軸部２ａ、２ｂとがともに上側（すなわち、軸部中心側）にある構造であっても、筆記具を机面等に置いたときに筆部４ａ、４ｂ及び軸部２ａ、２ｂが机面等に接触することがない。従って、この場合でも上述した効果と同様の効果を奏する。
【００２２】
また、本実施の形態において説明を行ったような第１突出部を有する軸先端部３ａ、３ｂを備えずに、軸後端部１ａ、１ｂにおけるある１辺の両端の２点を含み軸部２ａ、２ｂと接する平面より、筆部４ａ、４ｂが上側（軸部中心側）にあるような構造であってもよく、この構造であれば、筆記具１０ａ、１０ｂを机面７等に置いたときに筆部４ａ、４ｂが机面７等に接触することがないので、筆部４ａ、４ｂに付着している墨やインク等で机面７等が汚れるのを防止できる。
【産業上の利用可能性】
【００２３】
本発明は、毛筆、万年筆、ボールペン等の筆記具に適用できる。
【図面の簡単な説明】
【００２４】
【図１】本発明に係る筆記具の斜視図である。
【図２】本発明に係る筆記具の側面図である。
【図３】本発明に係る筆記具の第１及び第２突出部の軸垂直方向の断面形状の例を示す図である。
【符号の説明】
【００２５】
１ａ、１ｂ    第２突出部を有する軸後端部
２ａ、２ｂ    軸部
３ａ、３ｂ    第１突出部を有する軸先端部
４ａ、４ｂ    筆部
７            机面
１０ａ、１０ｂ  筆記具（毛筆）
【図１】
2006263943.tif 000003
【図２】
2006263943.tif 000004
【図３】
2006263943.tif 000005